(57)【特許請求の範囲】
【請求項１】
水流路及び湯流路を備え、前記水流路に浄水カートリッジを装着するとともに該水流路から浄水カートリッジへの分岐通路を開閉する浄水用ハンドルを具備した本体を構成し、前記水流路及び湯流路からの冷水と温水の混合及び流量をレバーの操作によって調節する弁機能部と、この弁機能部で調節された冷水、温水、これらの混合水、ならびに浄水カートリッジで浄化した浄水を吐出させる吐水管を有する基部を上記本体に着脱自在に装着して構成した浄水器付混合水栓。
【請求項２】
本体の上部に基部を旋回自在に装着し、この基部の上部に弁機能部を配置して、弁機能部が上部に位置し浄水カートリッジが下方部に位置するようにした請求項１記載の浄水器付混合水栓。
【請求項３】
本体は外周の適所に浄水用ハンドルを、該浄水用ハンドルの反対側に浄水カートリッジを配置するとともに、該浄水カートリッジを着脱自在に装着して構成した請求項１または請求項２記載の浄水器付混合水栓。
【請求項４】
本体はその下部に流し台等のカウンターへの取付部を設けるとともに、浄水カートリッジはこの取付部との間に手をいれるだけの寸法をおいて本体外周適所に着脱自在に取り付け、かつこの浄水カートリッジの反対側に浄水用ハンドルを取り付けた請求項１または請求項２記載の浄水器付混合水栓。
【請求項５】
本体に水流路と連通する冷水供給用路を有する中間部材を取り付け、上記中間部材に浄水カートリッジを着脱自在に装着すると共に、該中間部材の冷水供給用路に弁座孔と浄水を放出するための送出部を形成し、かつ上記弁座孔に常閉方向に付勢された弁軸を持つ止水弁を設けると共に、送出部には逆止弁を設けて、前記浄水カートリッジを中間部材から離脱させると弁座孔及び逆止弁が閉塞されて冷水及び本体内の浄水が外部へ排出されない構成とした請求項１または請求項２記載の浄水器付混合水栓。
【発明の詳細な説明】
【０００１】
【産業上の利用分野】
本発明は流し台等に取り付ける混合水栓に浄水カートリッジを一体的に組み込んだ浄水器付混合水栓に関する。
【０００２】
【従来の技術】
従来、この種の浄水器付混合水栓として特開平４−２１０２８７号公報に記載されているようなものが提案されている。すなわち、図５を用いてこの浄水器付混合水栓を説明すると、水栓本体１０１の下部に吐水管１０２を設けるとともにその上部に浄水カートリッジ収納部１０３を設け、かつこの浄水カートリッジ収納部１０３と対向する部分に水と湯の流量及び混合を調節するとともに浄水カートリッジ収納部１０３への通路を開閉する弁機能部１０４及びその弁機能部１０４を操作するレバー１０５を組み込み、さらにその上部に浄水専用吐水管１０６を設けて構成してある。
【０００３】
【発明が解決しようとする課題】
しかしながら上記従来の浄水器付混合水栓は、弁機能部１０４に浄水カートリッジ収納部１０３への通路を開閉する弁機構とともに、使用頻度が高く故障しやすい水と湯の流量及び混合を調節する弁機構までもが一体に構成してあり、しかもこの弁機能部１０４は浄水カートリッジ収納部１０３とともに水栓本体１０１に一体化してあり、弁機能部１０４が故障すると高価な水栓本体１０１自体を交換しなければならず経済性が悪いという課題があった。
【０００４】
また、弁機能部１０４には既述した如く浄水カートリッジ収納部１０３への通路を開閉する弁機構とともに、使用頻度が高く故障しやすい水と湯の流量及び混合を調節する弁機構までもが一体に構成してあって、しかもこれが水栓本体１０１に一体化してあり、更にこれに吐水管１０２が一体化してあるため、普通の混合水栓等の部品を兼用することができず、混合水栓の各部が専用部品となって割高なものになるという課題もあった。
【０００５】
更に吐水管が二つあってコスト高になるとともに、弁機能部１０４に浄水カートリッジ収納部１０３への通路を開閉する弁機構ならびに水と湯の流量及び混合を調節する弁機構が一体に構成してあるため操作レバー１０５の操作が複雑になり、しかもこの操作レバー１０５が横方向に位置するため、頻繁に行う水と湯の混合及流量調節の操作がしずらいという課題もあった。
【０００６】
更にまた浄水カートリッジ収納部１０３は水栓本体１０１の吐水管引出し部よりも上方に取り付けてあるため、比較的高い所に位置して目立つようになり、混合水栓全体のバランスが悪くなって見栄えのよくないものになるとともに、流し台での食器洗い等の作業の邪魔になったり、流し台の水槽後方の小物収納場所の邪魔になったりする等の課題もあった。
【０００７】
本発明はこのような課題を解決したもので、経済性とコストパフォーマンス及び操作性の向上を第１の目的とし、更に外観や作業性及び操作性を向上させることを第２の目的とし、更に浄水カートリッジの交換を容易にすることを第３の目的とし、前記浄水カートリッジ交換時に水の流出を防止することを第４の目的としたものである。
【０００８】
【課題を解決するための手段】
本発明は上記第１の目的を達成するため、水流路及び湯流路を備え、前記水流路に浄水カートリッジを装着するとともに該水流路から浄水カートリッジへの分岐通路を開閉する浄水用ハンドルを具備した本体を構成し、前記水流路及び湯流路からの冷水と温水の混合及び流量をレバーの操作によって調節する弁機能部と、この弁機能部で調節された冷水、温水、これらの混合水、ならびに浄水カートリッジで浄化した浄水を吐出させる吐水管を有する基部を上記本体に着脱自在に装着した構成としてある。
【０００９】
また第２の目的を達成するため、上記本体の上部に基部を旋回自在に装着し、この基部の上部に弁機能部を配置して、弁機能部が上部に位置し浄水カートリッジが下方部に位置する構成としてある。
【００１０】
また第３の目的を達成するため上記本体は外周の適所に浄水用ハンドルを、該浄水用ハンドルの反対側に浄水カートリッジを配置するとともに、該浄水カートリッジを着脱自在とした構成、あるいは上記本体はその下部に流し台等のカウンターへの取付部を設けるとともに、浄水カートリッジはこの取付部との間に手をいれるだけの寸法をおいて本体外周適所に着脱自在に取り付け、かつこの浄水カートリッジの反対側に浄水用ハンドルを取り付けた構成としてある。
【００１１】
また第４の目的を達成するため上記本体に水流路と連通する冷水供給用路を有する中間部材を取り付け、上記中間部材に浄水カートリッジを着脱自在に装着すると共に、該中間部材の冷水供給用路に弁座孔と浄水を放出するための送出部を形成し、かつ上記弁座孔に常閉方向に付勢された弁軸を持つ止水弁を設けると共に、送出部には逆止弁を設けて、前記浄水カートリッジを中間部材から離脱させると弁座孔及び逆止弁が閉塞されて冷水及び本体内の浄水が外部へ排出されない構成としてある。
【００１２】
【作用】
本発明は上記第１の構成によって、浄水カートリッジへの分岐通路を開閉する弁機構となる浄水用ハンドルと、水と湯の流量及び混合を調節する弁機構となる弁機能部とが別々になり、水と湯の流量及び混合を調節する弁機能部が故障するとこの弁機能部だけを交換することが可能となり、しかもこの使用頻度が高く故障しやすい水と湯の流量及び混合を調節する弁機能部及び吐水管を有する基部は本体とは別体構成としているので、これらの弁機能部及び基部は普通の混合水栓等の部品と共用することができ、大幅なコストダウンが可能となる。更に吐水管一つ分のコストダウンが図れ、しかも浄水カートリッジへの分岐通路開閉操作とは別に水と湯の流量及び混合を調節する弁機能部の操作ができるのでその操作性も格段に向上する。
【００１３】
また第２の構成によって弁機能部の操作が最上部でできるようになるから操作性がより一層向上するとともに、浄水カートリッジは比較的低い所に位置することになるから、浄水カートリッジが目立たなくなるとともに混合水栓全体のバランスも良好なものとなり、しかも浄水カートリッジが流し台での食器洗い等の作業の邪魔になったり、流し台の水槽後方の小物収納場所の邪魔になったりすることもなくなる。
【００１４】
更に第３の構成によって浄水カートリッジが比較的低い所にあってもその交換に浄水用ハンドルが邪魔になったり、流し台のカウンターが邪魔になったりすることがなく、浄水カートリッジの交換も容易に行えるようになる。
【００１５】
また第４の構成によって浄水カートリッジを交換すべく該浄水カートリッジを中間部材から離脱させると弁座孔及び逆止弁が閉塞されるので冷水及び本体内の浄水が外部へ流出するようなこともなくなる。
【００１６】
【実施例】
以下、本発明の実施例を図に基づいて詳細に説明する。
【００１７】
本発明の実施例は図１に示すように、混合水栓Ａの本体１は縦長の円筒状で下部周面に形成した取付部２を流し台のカウンターＢに穿設した取付孔Ｃに挿通し、このカウンターＢの下方から取付部２外周の螺合部にナット３を螺合して取付けられており、前記取付部２の内部には上流側で給水源及び給湯源に夫々連通し、下流側で前記本体１の垂直状の隔壁４により左右に区画して形成した水流路７及び湯流路８に夫々連通する給水管５及び給湯管６が平行に装着してある。９は前記本体１の水流路７及び湯流路８の上部外周面に回動自在に嵌合した円筒状の基部で、該基部９より吐水管１０を上方へ傾斜して延設してある。
【００１８】
１１は上記基部９を介して本体１上部に螺合装着した弁機能部で、図２に示すように内部は前記水流路７及び湯流路８に連通する弁室１１ａとなっており、該弁室１１ａにはセラミックスの成型による固定板１２及び同一素材による可動板１３を水密に重ね合わせて内装し、該可動板１３は把手軸１４を介してレバー１５と連繋しており、該レバー１５の操作により前記可動板１３と固定板１２との弁開閉の対応関係を変化させることによって湯、水又は混合水を吐水管１０へ供給するようにしてある。
【００１９】
前記本体１の図１中右側で基部９の下方には水流路７を中途で開閉し、該水流路７内の冷水を後述する浄水カートリッジ２３に供給した後に吐水管１０に送り込むための浄水用ハンドル１６を取付けてある。
【００２０】
即ち下流側が浄水カートリッジ２３と連通する第１バイパス路１７を本体１の内部に形成し、該第１バイパス路１７は前記隔壁４に開口した弁口１８により水流路７と連通しており、この弁口１８に装着される弁ユニット１９の内部には図３に示すように流出口２０ａを開口した円盤形の固定板２０及び浄水用ハンドル１６とスピンドル２１を介して連繋して固定板２０の流出口２０ａを開閉する回転板２２を水密に重なり合うように装着してある。そして固定板２０の流出口２０ａを回転板２２により閉塞している時は水流路７から第１バイパス路１７への流路を遮断し、図４に示すように浄水用ハンドル１６の回転操作により回転板２２に開口した流入口２２ａと固定板２０の流入口２０ａが連通すると水流路７の冷水を第１バイパス路１７を介して浄水カートリッジ２３へ供給するように連繋している。
【００２１】
前記本体１の図１中左側で前記浄水用ハンドル１６と同一軸線上には中間部材３３を介して浄水カートリッジ２３が着脱自在に装着されている。該浄水カートリッジ２３は横長の円筒状で外周面とカウンターＢの間には浄水カートリッジ２３を交換する際に容易に回転させられるように手を通過させるのに充分な空間Ｓを設けて本体１に装着してある。即ち浄水カートリッジ２３は本体１のカウンターＢへの取付部２との間に手を入れるだけの寸法Ｓをおいて本体１に取付てある。この浄水カートリッジ２３は外側容器２４の内側に内側容器２５を形成した二重構造となっており、外側容器２４と内側容器２５の間に形成される通水空間２６には濾過材として活性炭２７が充填され、内側容器２５の通水空間２６ａには同じく濾過材として中空糸膜２８が充填され、通水空間２６の一端に開口した流入口２９より冷水を流入させ、活性炭２７及び中空糸膜２８を通過する間に不純物を除去された浄水を流出口３０より流出させる。なお、活性炭２７、中空糸膜２８に代えて多孔質セラミックス、イオン交換樹脂その他公知の濾過材を用いてもよい。
【００２２】
前記中間部材３３は図３に示すようにビス３４により本体１に止着し、前記浄水カートリッジ２３の流入口２９へ冷水を供給するための供給部３５及び前記流出口３０から流出された浄水を放出するための送出部３６が形成され、逆止弁３７を介在させた送出部３６に浄水カートリッジ２３の環状突起３１を水密的に嵌合させ、外周面に形成した雄ねじ部３８に浄水カートリッジ２３のナット３２を螺着している。
【００２３】
前記中間部材３３の供給部３５は、浄水カートリッジ２３を装着した場合は第１バイパス路１７の冷水を弁座孔３９から浄水カートリッジ２３の通水空間２６へ供給し、浄水カートリッジ２３を中間部材３３から離脱した場合には弁座孔３９を閉塞して冷水を浄水カートリッジ２３側へ供給できないようにしている。即ち供給部３５にはスプリング４２の付勢力により弁座孔３９を開閉する止水弁４０が設けられており、この止水弁４０は浄水カートリッジ２３の装着時には弁軸４１が浄水カートリッジ２３の側面と当接するためスプリング４２に抗して押圧され弁座孔３９から離脱するので、第１バイパス路１７から浄水カートリッジ２３への通水は可能であるが、浄水カートリッジ２３を中間部材３３から離脱させると止水弁４０はスプリング４２により付勢されて弁座孔３９を閉塞し、冷水が第１バイパス路１７から外部へ排出されないようにしている。
【００２４】
以上の構成においてまず混合水栓Ａの動作を説明すると、通常の混合水栓として使用する場合は、図３に示すように本体１の右側の浄水用ハンドル１６を操作することによって回転板２２が固定板２０の流出口２０ａを閉塞し、水流路７から第１バイパス路１７へ向かう冷水の流路を遮断しておく。続いて図１及び図２に示すレバー１５を所定の方向へ操作すると弁機能部１１の所定の動作によって水流路７、湯流路８から冷水と温水の適量を弁室１１ａに導入し、固定板１２と可動板１３による定められた水と湯の混合割合によって適温、適量の混合水を吐水管１０から供給する。
【００２５】
次においしい飲料水を得るため冷水中の臭気その他の不純物を除去した浄水を吐出させるには、レバー１５の操作で弁機能部１１を止水状態にしておき、浄水用ハンドル１６を図４に示すように吐水方向へ操作すれば回転板２２の流入口２２ａと固定板２０の流出口２０ａが連通し、水流路７の冷水は第１バイパス路１７へ供給され、続いて中間部材３３の供給部３５を介して通水空間２６の活性炭２７及び内側容器２５内の中空糸膜２８を通過する間に冷水中の不純物を取り除き濾過されて浄水となり、送出部３６の逆止弁３７を押し開きながら第２バイパス路１７ａへ達し続いて吐水管１０から吐出される。
【００２６】
ここでこの浄水器付混合水栓は、浄水カートリッジ２３への通路を開閉する弁機構となる浄水用ハンドル１６と、水と湯の流量及び混合を調節する弁機構となる弁機能部１１とを別々に構成してあるから、水と湯の流量及び混合を調節する弁機能部１１が故障するとこの弁機能部１１だけを交換することができ、しかも前記浄水カートリッジ２３への通路開閉操作と、水と湯の流量及び混合を調節する弁機能部１１の操作が別々にできるのでその操作性も向上する。更に上記弁機能部１１を操作するレバー１５は最上部に位置しているので頻繁に操作するものであってもその操作は容易にできる。
【００２７】
また、上記水と湯の流量及び混合を調節する弁機能部１１及び吐水管１０を有する基部９は、浄水カートリッジ２３を装着するとともに水流路７から浄水カートリッジ２３への通路を開閉する浄水用ハンドル１６を具備した本体１とは別体構成とし、かつこれらを一体にする事によって浄水器付混合水栓を構成しているので、これらの弁機能部１１及び基部９は普通の混合水栓等の部品と共用することができ、大幅なコストダウンを図ることができる。
【００２８】
また浄水カートリッジ２３は弁機能部１１や基部９の下に位置する本体１に装着してあるから比較的低い所に位置することになり、浄水カートリッジ２３が流し台での食器洗い等の作業や流し台の水槽後方の小物収納の邪魔になったりすることがなくなる。更に本体１を流し台等のカウンターＢに取り付けた場合、このカウンターＢ（本体の取付部２）と浄水カートリッジ２３との間には手を入れることができるので、浄水カートリッジ２３の交換が容易にできるし、また浄水用ハンドル１６は浄水カートリッジ２３とは反対側に設けてあるのでこれが邪魔になることもなくなる。
【００２９】
【発明の効果】
以上のように本発明によれば、浄水カートリッジへの分岐通路を開閉する浄水用ハンドルと、水と湯の流量及び混合を調節する弁機能部とが別々になり、水と湯の流量及び混合を調節する弁機能部が故障するとこの弁機能部だけを交換することができ、しかもこの使用頻度が高く故障しやすい水と湯の流量及び混合を調節する弁機能部及び吐水管を有する基部は本体とは別体構成としているので、これらの弁機能部及び基部は普通の混合水栓等の部品と共用することができ、大幅なコストダウンが可能となる。更に吐水管は一つでよいからその分のコストダウンが図れ、しかも浄水カートリッジへの通路開閉操作と、水と湯の流量及び混合を調節する弁機能部の操作とがそれぞれ別々にできるので、その操作性も格段に向上する。
【００３０】
また本体の上部に基部を旋回自在に装着し、この基部の上部に弁機能部を配置して、弁機能部が上部に位置し浄水カートリッジが下方部に位置する構成としたものにあっては、弁機能部の操作が最上部でできるから操作性がより一層向上するとともに、浄水カートリッジは比較的低い所に位置することになるから、浄水カートリッジが目立たなくなるとともに混合水栓全体のバランスも良好なものとなり、しかも浄水カートリッジが流し台での食器洗い等の作業の邪魔になったり、流し台の水槽後方の小物収納場所の邪魔になったりすることもなくなって使い勝手も大幅に向上する。
【００３１】
更に本体外周の適所に浄水用ハンドルを、該浄水ハンドルの反対側に浄水カートリッジを配置するとともに、該浄水カートリッジを着脱自在とした構成、あるいは上記本体の下部に流し台等のカウンターへの取付部を設けるとともに、浄水カートリッジはこの取付部との間に手をいれるだけの寸法をおいて本体外周に着脱自在に取り付け、かつこの浄水カートリッジの反対側に浄水用ハンドルを取り付けた構成としたものにあっては、浄水カートリッジが比較的低い所にあってもその交換に浄水用ハンドルが邪魔になったり、流し台のカウンターが邪魔になったりすることがなく、浄水カートリッジの交換も容易に行えるようになる。
【００３２】
また本体に水流路と連通する冷水供給用路を有する中間部材を取り付け、該中間部材に浄水カートリッジを着脱自在に装着すると共に、同中間部材の冷水供給用路に弁座孔と浄水を放出するための送出部を形成し、かつ上記弁座孔に常閉方向に付勢された弁軸を持つ止水弁を設けると共に、送出部には逆止弁を設けたものにあっては、浄水カートリッジ交換時に弁座孔及び逆止弁が自動的に閉塞されるので冷水及び本体内の浄水が外部へ流出するのを防止することもできる。
【図面の簡単な説明】
【図１】本発明の浄水器付混合水栓の部分断面図
【図２】図１におけるＸ−Ｘ線の一部を省略した断面図
【図３】図１におけるＹ−Ｙ線の拡大断面図
【図４】図３における通水状態の断面図
【図５】従来の浄水器付混合水栓の断面図
【符号の説明】
１  本体
７  水流路
８  湯流路
９  基部
１０  吐水管
１１  弁機能部
１５  レバー
１６  浄水用ハンドル
１７  第１バイパス路
２３  浄水カートリッジ
２７  活性炭
２８  中空糸膜
Ａ  混合水栓
Ｂ  カウンター
Ｓ  空間（寸法）
【図１】
0003585586.tif 000002
【図２】
0003585586.tif 000003
【図３】
0003585586.tif 000004
【図４】
0003585586.tif 000005
【図５】
0003585586.tif 000006